(57)【特許請求の範囲】
【請求項１】
香りを有する物質を内包した複数のマイクロカプセルが塗工された塗工部を有する吸収性物品であって、
包装材から取り出した状態において、
複数の前記マイクロカプセルは、
前記マイクロカプセルが破損した破損カプセルと、
前記マイクロカプセルが破損していない非破損カプセルを有し、
ファスニングテープ部を有し、
前記塗工部は、前記ファスニングテープ部に設けられていることを特徴とする吸収性物品。
【請求項２】
請求項１に記載の吸収性物品であって、
前記物質が虫忌避香料であることを特徴とする吸収性物品。
【請求項３】
請求項１又は２に記載の吸収性物品であって、
前記塗工部は、単位面積あたりの非破損カプセルの数より、単位面積当たりの破損カプセルの数が多い加工跡部を有することを特徴とする吸収性物品。
【請求項４】
請求項３に記載の吸収性物品であって、
包装材から取り出した状態において、
前記塗工部は、単位面積あたりの破損カプセルの数より、単位面積当たりの非破損カプセルの数が多い非加工跡部を有し、
前記加工跡部の面積より前記非加工跡部の面積の方が広いことを特徴とする吸収性物品。
【請求項５】
請求項３又は４に記載の吸収性物品であって、
包装材から取り出した状態において、
前記吸収性物品の少なくとも一部が、折り線部において折り畳まれており、
前記加工跡部が、前記折り線部であり、
前記破損カプセルが、前記折り線部に設けられていることを特徴とする吸収性物品。
【請求項６】
請求項１から５のいずれか１項に記載の吸収性物品であって、
展開状態において、
前記破損カプセルが、前記吸収性物品の外端部に設けられていることを特徴とする吸収性物品。
【請求項７】
請求項１から６のいずれか１項に記載の吸収性物品であって、
前記破損カプセルが、前記ファスニングテープ部の先端部に設けられていることを特徴とする吸収性物品。
【請求項８】
請求項１から７のいずれか１項に記載の吸収性物品であって、
包装材から取り出した状態において、
前記ファスニングテープ部は、上下方向に沿ったテープ折り線で、肌側面を内側に折り畳まれており、
前記ファスニングテープ部は、折り畳まれた状態を維持するための仮留め圧搾部を有し、
前記破損カプセルが、前記仮留め圧搾部に設けられていることを特徴とする吸収性物品。
【発明の詳細な説明】
【技術分野】
【０００１】
本発明は、吸収性物品に関する。
【背景技術】
【０００２】
乳幼児の育児や成人の介護のみならず、ペットの飼育においても、排泄物を吸収する吸収体を有する使い捨ておむつが用いられている。また、特許文献１に記載されているように防虫成分を含むマイクロカプセルを備えた繊維構造物が蚊などの衛生害虫に対する忌避性を有することが知られている。
【先行技術文献】
【特許文献】
【０００３】
【特許文献１】特開２０１７−１７９６５１号公報
【発明の概要】
【発明が解決しようとする課題】
【０００４】
しかしながら、特許文献１に示すような防虫成分を含むマイクロカプセルをそのまま使い捨ておむつ等の吸収性物品に適用すると、着用者や吸収性物品を着用させようとする使用者は、包装材に収容された包装状態の吸収性物品を取り出したときに、防虫成分がマイクロカプセル内に留められているため、着用者や使用者に防虫効果を備えた吸収性物品であることを認識させることが難しいという問題があった。【０００５】
本発明は、上記のような問題に鑑みてなされたものであって、その目的とするところは、包装材から吸収性物品を取り出すとき、且つ吸収性物品の着用中に、着用者等に、吸収性物品に塗工された物質の効果を認識させやすい吸収性物品を提供することにある。
【課題を解決するための手段】
【０００６】
上記目的を達成するための主たる発明は、香りを有する物質を内包した複数のマイクロカプセルが塗工された塗工部を有する吸収性物品であって、包装材から取り出した状態において、複数の前記マイクロカプセルは、前記マイクロカプセルが破損した破損カプセルと、前記マイクロカプセルが破損していない非破損カプセルを有し、ファスニングテープ部を有し、前記塗工部は、前記ファスニングテープ部に設けられていることを特徴とする吸収性物品である。
本発明の他の特徴については、本明細書及び添付図面の記載により明らかにする。
【発明の効果】
【０００７】
本発明によれば、包装材から吸収性物品を取り出すとき、且つ吸収性物品の着用中に、着用者等に、吸収性物品に塗工された物質の効果を認識させやすくなる。
【図面の簡単な説明】
【０００８】
【図１】図１は、おむつ１の展開かつ伸長させた状態の肌側平面図である。
【図２】図２は、おむつ１の展開かつ伸長させた状態の非肌側平面図である。
【図３】図３Ａは、図１に示すおむつ１をテープ折り線ＴＬで折り畳んだ状態を示す模式図である。図３Ｂは、図３Ａに示すおむつ１を左右折り線ＳＬで折り畳んだ状態を示す模式図である。
【図４】図４は、包装状態のおむつ１を示す模式図である。
【図５】図５は、使い捨ておむつのパッケージ５０の斜視図である。
【図６】図６は、塗工部において、破損カプセルＤＣと非破損カプセルＮＣとが混在する領域を撮影した電子顕微鏡写真である。
【図７】図７は、塗工部において、破損カプセルＤＣと非破損カプセルＮＣとが混在する領域を撮影した電子顕微鏡写真である。
【図８】図８は、塗工部において、破損カプセルＤＣと非破損カプセルＮＣとが混在する領域を撮影した電子顕微鏡写真である。
【図９】図９は、図２中の部分Ｘの拡大図である。
【図１０】図１０は、加工跡部の一例について説明する図である。
【発明を実施するための形態】
【０００９】
本明細書及び添付図面の記載により、少なくとも以下の事項が明らかとなる。
香りを有する物質を内包した複数のマイクロカプセルが塗工された塗工部を有する吸収性物品であって、包装材から取り出した状態において、複数の前記マイクロカプセルは、前記マイクロカプセルが破損した破損カプセルと、前記マイクロカプセルが破損していない非破損カプセルを有していることを特徴とする吸収性物品である。
【００１０】
このような吸収性物品によれば、使用者又は着用者は、包装材から吸収性物品を取り出すときに、破損カプセルから流出した物質の効果を認識でき、且つ、着用前及び着用中に、非破損カプセルを割ることで、着用中における物質の効果を認識しやすくなる。
【００１１】
かかる吸収性物品であって、前記物質が虫忌避香料であることが望ましい。
【００１２】
このような吸収性物品によれば、使用者又は着用者は、包装材から取り出すときに虫忌避香料の効果を認識でき、且つ、着用前及び着用中に虫忌避香料の効果を認識しやすくなる。また、包装状態の破損カプセルから流出した虫忌避香料の効果によって、店頭や自宅等での保管時に、包装材の内側に虫が混入してしまう恐れを軽減させることができる。
【００１３】
かかる吸収性物品であって、前記塗工部は、単位面積あたりの非破損カプセルの数より、単位面積当たりの破損カプセルの数が多い加工跡部を有することが望ましい。
【００１４】
このような吸収性物品によれば、加工跡部によって、吸収性物品により確実に破損カプセルと非破損カプセルを設けることができるため、着用前と着用中のいずれにおいても物質の効果を認識しやすくなる。
【００１５】
かかる吸収性物品であって、包装材から取り出した状態において、前記塗工部は、単位面積あたりの破損カプセルの数より、単位面積当たりの非破損カプセルの数が多い非加工跡部を有し、前記加工跡部の面積より前記非加工跡部の面積の方が広いことが望ましい。
【００１６】
このような吸収性物品によれば、着用時において、着用者等が物質の効果に応じて、非破損カプセルを破損させるなど、物質の効果をより発揮させることができる。
【００１７】
かかる吸収性物品であって、包装材から取り出した状態において、前記吸収性物品の少なくとも一部が、折り線部において折り畳まれており、前記加工跡部が、前記折り線部であり、前記破損カプセルが、前記折り線部に設けられていることが望ましい。
【００１８】
このような吸収性物品によれば、折り畳みによる押圧で、破損カプセルを形成しやすくなることから、製造時に加工跡部を容易に形成でき、より確実に包装材に収容している状態から、物質の効果を発揮させやすくなる。
【００１９】
かかる吸収性物品であって、展開状態において、前記破損カプセルが、前記吸収性物品の外端部に設けられていることが望ましい。
【００２０】
このような吸収性物品によれば、塗工部が設けられた吸収性物品の外端部を形成する切断工程における衝撃で、破損カプセルを形成しやすくなり、より確実に包装材に収容されている状態から、物質の効果を発揮させやすくなる。
【００２１】
かかる吸収性物品であって、ファスニングテープ部を有し、前記塗工部は、前記ファスニングテープ部に設けられていることが望ましい。
【００２２】
このような吸収性物品によれば、ファスニングテープ部は、吸収性物品の装着の際に特に手で掴む可能性が高い部分であるため、より確実に装着の際に破損カプセルを形成しやすくなり、着用状態に物質の効果を発揮させやすくなる。
【００２３】
かかる吸収性物品であって、前記破損カプセルが、前記ファスニングテープ部の先端部に設けられていることが望ましい。
【００２４】
このような吸収性物品によれば、ファスニングテープ部の形成時における切断工程における衝撃で、破損カプセルを形成しやすくなり、より確実に包装材に収容されている状態から物質の効果を発揮させやすくなる。
【００２５】
かかる吸収性物品であって、包装材から取り出した状態において、前記ファスニングテープ部は、上下方向に沿ったテープ折り線で、肌側面を内側に折り畳まれており、前記ファスニングテープ部は、折り畳まれた状態を維持するための仮留め圧搾部を有し、前記破損カプセルが、前記仮留め圧搾部に設けられていることが望ましい。
【００２６】
このような吸収性物品によれば、仮留め圧搾部を形成するための圧力によって、破損カプセルが形成されやすくなり、より確実に包装材に収容されている状態から、物質の効果を発揮させやすくなる。
【００２７】
＝＝＝実施形態＝＝＝
本発明の吸収性物品として、所謂テープ型の展開型使い捨ておむつを例に挙げて実施形態を説明する。ただし、これに限定されず、例えば、パンツ型の使い捨ておむつ、尿取りパッド、生理用ナプキン、おりものシート、動物用使い捨ておむつ等の吸収性物品に対しても適用可能である。
【００２８】
＝＝＝使い捨ておむつ１の構成について＝＝＝
使い捨ておむつ１は、所謂テープ型（オープンタイプ）の展開型使い捨ておむつ（以下、単に「おむつ１」とも呼ぶ）である。おむつ１は、乳幼児用の使い捨ておむつとして説明するが、大人用の使い捨ておむつであってもよい。
【００２９】
図１は、おむつ１の展開状態かつ伸長状態の肌側平面図である。図２は、おむつ１の展開かつ伸長させた状態の非肌側平面図である。おむつ１の展開状態とは、おむつ１全体を平面的に展開した状態をいう。おむつ１の伸長状態とは、おむつ１に生じていた皺が実質的に視認されなくなる程に伸長させた状態であり、おむつ１を構成する各部材（例えば後述するトップシート３等）の寸法がその部材単体の寸法と一致又はそれに近い長さになるまでおむつ１が伸長した状態である。図１及び図２は、おむつ１を包装材（不図示）から取り出して、展開し、且つ伸長させた状態である。
【００３０】
図１等に示す展開且つ伸長状態において、おむつ１は、互いに直交する長手方向、左右方向、及び厚さ方向を有する。なお、展開且つ伸長状態における「長手方向」は、自然状態、包装状態における「上下方向」に対応する。厚さ方向とは、おむつ１を構成する各部材が積層された方向であり、着用者に接する側を「肌側」といい、その反対側を「非肌側」という。
【００３１】
図１等において、中心線Ｃ―Ｃは、左右方向の中心であり、おむつ１は、中心線Ｃ―Ｃに対して左右対称な形状を有している。中心線ＣＬは、長手方向の中心であり、中心線ＣＬより腹側に腹側部１Ａ、中心線ＣＬより背側に背側部１Ｂを有する。おむつ１において、腹側部１Ａは、着用者の腹側を覆い、背側部１Ｂは、着用者の背側を覆う。
【００３２】
おむつ１は、尿等の排泄液を吸収する吸収体２と、吸収体２を肌側から覆う液透過性のトップシート３と、吸収体２を非肌側から覆う液不透過性の防漏シート４と、防漏シート４を非肌側から覆い、おむつ１の外形形状をなすバックシート５と、トップシート３上に幅方向に一対並んで設けられた一対のサイドシート６とを有している。
【００３３】
トップシート３としては、エアスルー不織布等を例示でき、防漏シート４としては、ポリエチレンフィルム等の樹脂フィルム等を例示でき、バックシート５としては、スパンボンド不織布等の柔軟なシートを例示できる。トップシート３及びバックシート５には、それぞれ、ＳＭＳ不織布（スパンボンド／メルトブローン／スパンボンド不織布）、スパンボンド不織布、エアスルー不織布、プラスチックシート、開孔プラスチックシート及びそれらのラミネートシート等の中から選択して用いてもよい。
【００３４】
吸収体２は、平面視において長手方向に長い長方形状を有し、吸収性コア（不図示）と吸収性コアの外周面を被覆するコアラップシート（不図示）とを有する。吸収性コアは、液体吸収性素材を所定の形状に成形したものであり、平面視において略砂時計形状を有する。液体吸収性素材としては、パルプ繊維等の液体吸収性繊維に高吸収性ポリマー（所謂ＳＡＰ）が含有されたものを例示できる。コアラップシートとしては、液透過性のティッシュや不織布等を例示できるが、吸収体がコアラップシートを有さない形態でもよい。なお、吸収性コアは、略砂時計形状のように左右方向の内側に括れた形状だけでなく、長方形等の矩形形状であってもよい。
【００３５】
また、おむつ１は、幅方向の両側部に、サイドシート６とともに、長手方向に伸縮可能な弾性部材６１（例えば、糸ゴム）を備え、防漏壁としての一対の立体ギャザーを構成する。弾性部材６１は、長手方向に伸長状態で、サイドシート６に固定されている。立体ギャザーを設けることで、おむつ１の左右方向から排泄物が漏れる恐れを軽減させる。
【００３６】
さらに、おむつ１の左右方向の両側部に、着用者の脚回りに沿うように、主に着用者の股下に対応する位置に、長手方向に伸縮可能な一対の脚回り弾性部材７（例えば、糸ゴム）が設けられている。具体的には、図１に示すように、展開且つ伸長状態において、立体ギャザー用の弾性部材６１よりも左右方向の外側に、脚回り弾性部材７が設けられている。脚回り弾性部材７は、サイドシート６の非肌側面に長手方向に伸長状態で固定されている。よって、着用状態において、おむつ１の左右方向の各側部が着用者の脚回りにフィットし、排泄物の漏れが抑制される。
【００３７】
弾性部材６１や脚回り弾性部材７の数や形状、材質等は、図１等に示すものに限られない。例えば、それぞれ弾性部材６１、脚回り弾性部材７の数は任意に設定することができ、糸状のポリウレタン伸縮性繊維や、熱可塑性エラストマ樹脂を溶融してフィルム状とした伸縮性フィルムや伸縮繊維からなる伸縮性不織布としてもよい。
【００３８】
展開状態のおむつ１（図１及び図２）の外形形状は、略砂時計形状であり、腹側部１Ａ、及び背側部１Ｂは、それぞれ長手方向における中央部（着用時における股下部）よりも左右方向の両外側に延出した一対のサイドフラップ２０、３０を有する。サイドフラップ２０、３０は、サイドシート６とバックシート５により形成されている。また、背側部１Ｂが有する一対のサイドフラップ３０の左右方向の外側の各端部には、ファスニングテープ部４０が固定されている。
【００３９】
ファスニングテープ部４０は、テープ基材４１と、フック材４２と、固定部４３とを有する。テープ基材４１は、例えば緑色の不織布の部材であり、左右方向に長い略長方形状を成す。図２に示すように、テープ基材４１には、略矩形状の複数の圧搾部４０Ｅがテープ基材４１の略全域に亘って千鳥状に設けられている。図１では、便宜上、圧搾部４０Ｅを省略して示している。テープ基材４１に圧搾部４０Ｅを設けることで、テープ基材４１の不織布の繊維を押し固めて、そのテープ形状を維持するとともに、テープ基材４１の剛性を高くして、おむつ１を着用させようとする保護者等の使用者（以下、単に「使用者」ともいう。）等が、ファスニングテープ部４０を掴みやすくなり、おむつ１の装着動作をより容易に行うことができる。フック材４２（例えば、面ファスナーの雄部材）は、サイドフラップ３０から左右方向の外側に延出したテープ基材４１の肌側面に設けられている。
【００４０】
おむつ１の着用状態とするために、つまり、着用者がおむつ１を装着した状態にするために、使用者又は着用者自身が、展開状態のおむつ１を着用者にあてがいつつ、長手方向の略中央（中心線ＣＬの周辺）で２つ折りし、背側部１Ｂ側の一対のサイドフラップ３０を左右方向の内側に折り返す。そして、ファスニングテープ部４０に設けられたフック材４２を腹側部１Ａの非肌側面に係止する。おむつ１は、バックシート５に不織布を用いることで、フック材４２をバックシート５に直接に係止可能としている。ただし、これに限らず、面ファスナーの雌部材等、フック材４２が係止することができる部材をバックシート５と別に設けてもよい。また、フック材４２の代わりに、例えば、粘着テープをファスニングテープ部４０に設けても良い。
【００４１】
おむつ１は、虫忌避香料を内包したマイクロカプセルＭＣが塗工された塗工部を有する。塗工部の詳細については、後述する。
【００４２】
虫忌避香料とは、蚊、蚋、ユスリカ、ハエ類等の害虫に対する忌避剤（虫よけ剤）であり、合成化合物や天然植物抽出物の香料である。例えば、シトロネラール、ディート（Ｎ，Ｎ−ジエチル−３−メチルベンズアミド）、セスキテルペン、エチルブチルアセチルアミノプロピオン酸エチル、ピカリジン、ピレスロイド、シナモン、ローズマリー、ラベンダー、ペパーミント、ユーカリ等を用いることができる。虫忌避香料は、対象とする害虫や着用対象者に芳香等に応じて選択可能である。
【００４３】
マイクロカプセルＭＣは、直径１〜１，０００μｍの大きさを有し、芯材（本実施形態では、虫忌避香料）を内包する空間を有するカプセルを意味する。マイクロカプセルＭＣとしては、芯材を内包し且つ芯材の放出を制御することができるものであれば、その外観形状は特に制限されず、例えば、球形、不定形等の外観形状が挙げられる。また、マイクロカプセルＭＣは、芯材を保持する空間を１つ有する単核型、又は芯材を保持する空間を複数有する多核型であってもよい。上記空間の形状としては、球形、不定形等の空間形状が挙げられる。
【００４４】
マイクロカプセルＭＣは、芯材を内包する皮膜（壁材等ともいう）が物理的な刺激若しくは化学的な刺激によって変化し、内包する成分を放出させる。物理的な刺激としては、例えば、熱、物理的圧力、物理的衝撃、振動、光などをマイクロカプセルＭＣの皮膜に与えることが挙げられる。化学的な刺激としては、例えば、体液等の液体（水溶液）とマイクロカプセルＭＣの皮膜との接触などが挙げられる。
【００４５】
これらの物理的又は化学的な刺激をマイクロカプセルＭＣの皮膜に与えることによって、皮膜の劣化、変性、柔軟化、多孔化、溶解、崩壊又は分解等を起こすことができる。この結果、マイクロカプセルＭＣ内の芯材の放出を開始させるか、又は、刺激前に徐々に放出していた場合には、その放出の程度を促進させることができる。
【００４６】
上記マイクロカプセルＭＣの素材としては、無機系材料や有機系材料を用いることができ、例えば、糖類、単糖類（例えば、ブドウ糖）、二糖類（例えば、ショ糖）、多糖類（例えば、デキストリン、グルコマンナン、アルギン酸ナトリウム、水溶性でんぷん等）、ゼラチン、ゼラチン・アラビアゴム、水溶性ポリマー（例えば、ポリビニルアルコール、ポリ酢酸ビニル等）、メラミン樹脂、尿素・ホルマリン樹脂、ウレタン樹脂、ポリスチレン、エチルセルロース、ポリアミド、ポリアクリル酸、シリコーン樹脂、カルボキシメチルセルロース等が挙げられる。
【００４７】
芯材の物性や芯材の放出が望まれる環境や条件に応じてマイクロカプセルＭＣの材質を選択することが好ましい。本実施形態のおむつ１は、マイクロカプセルＭＣとして、膜厚２μｍのウレタン樹脂によるマイクロカプセルを用い、虫忌避香料としてシトロネラールを用いている。このシトロネラールは、薬草系の芳香を有しており、虫忌避効果を印象づけやすい香りでもある。特に、カプセルとしては、ウレタン樹脂のように物理的刺激によって崩壊するカプセルを用いることが好ましい。
【００４８】
塗工部には、所定の溶媒とともにマイクロカプセルが塗工される。マイクロカプセルＭＣは、溶媒に不溶であることが好ましく、そしてマイクロカプセルＭＣの分散媒である溶媒に膨潤しないことが好ましい。内包する芯材の保護の観点からである。なお、マイクロカプセルを分散させる溶媒は、虫忌避香料と共に、マイクロカプセルに内包されうる第２溶媒と区別するために、第１溶媒と称される場合がある。
【００４９】
マイクロカプセルＭＣは、２５℃において、マイクロカプセルの分散媒である溶媒１００ｇに対して、好ましくは１．０ｇ以下、より好ましくは０．５ｇ以下、そしてさらに好ましくは０．１ｇ以下の溶媒溶解度を有する。溶媒溶解度は、２５℃において、１００ｇの溶媒に、１．０ｇ（０．５ｇ，０．１ｇ等）の試料を添加し、２４時間静置し、必要に応じて軽く攪拌し、次いで、試料が溶解したか否か目視で評価することにより評価する。
【００５０】
溶媒としては、虫忌避香料をマイクロカプセルに内包させたまま保持し且つ機能性成分を保持するものであること、すなわち、機能性成分を溶解させるが、マイクロカプセルを溶解又は膨潤させないものであることが好ましい。
【００５１】
虫忌避香料の放出量は、その量、その蒸気圧、マイクロカプセルの物理的刺激に対する破損度、マイクロカプセルの層の厚さ、マイクロカプセルの粒径等により変化させることができる。
【００５２】
＝＝＝おむつ１の包装状態について＝＝＝
図１及び図２に示す展開且つ伸長状態のおむつ１は、図３Ａ、図３Ｂに示す順に折り畳むことで、図４Ａに示す包装状態のおむつ１とすることができる。図３Ａは、図１に示すおむつ１をテープ折り線ＴＬで折り畳んだ状態を示す模式図である。図３Ｂは、図３Ａに示すおむつ１を左右折り線ＳＬで折り畳んだ状態を示す模式図である。図４は、包装状態のおむつ１を示す模式図である。図５は、使い捨ておむつのパッケージ５０の斜視図である。
【００５３】
まず、展開且つ伸長状態のおむつ１のファスニングテープ部４０のテープ折り線ＴＬで、肌側面（フック材４２が設けられた面）を内側にして折り畳み、折り畳んだファスニングテープ部４０を肌側から非肌側に向かって（ファスニングテープ部４０の非肌側面から）複数の仮留め圧搾部Ｆを設けることで、図３Ａに示す状態となる。テープ折り線ＴＬは、サイドフラップ２０より左右方向の外側に設けられた長手方向（上下方向）に沿った折り線である。なお、仮留め圧搾部Ｆは、ファスニングテープ部４０の折り畳まれた状態を維持するために設けており、再度、着用時に、ファスニングテープ部４０を図１及び図２に示す展開状態にできるように、仮留めとして設けた圧搾部である。仮留め圧搾部Ｆは、円形形状の圧搾部で、千鳥状に配置されている。
【００５４】
続いて、図３Ａに示す状態から、おむつ１の左右折り線ＳＬで、左右方向の側端部Ｓをそれぞれ左右方向の内側に、且つ厚さ方向の内側（肌側）に折り畳むことで、図３Ｂに示す状態となる。左右折り線ＳＬは、上下方向に沿った一対の折り線である。本実施形態では、左右折り線ＳＬは、左右方向において、吸収体２より外側で、トップシート３及びサイドフラップ３０より内側にそれぞれ設けられている。
【００５５】
そして、図３Ｂに示す状態から、おむつ１の上下折り線ＣＬで、肌側面を内側にして折り畳むことで、図４に示す状態となる。上下折り線ＣＬは、左右方向に沿った折り線であり、長手方向の中心である中心線ＣＬでもある。この図４に示す包装状態のおむつ１は、図５に示す包装材５１に収容されたおむつ１の状態でもある。つまり、図４に示すおむつ１は、包装材５１に収容されたおむつ１を取り出した状態のおむつ１でもある。なお、パッケージ５０は、取っ手５２を備えた包装材５１の内側に複数個のおむつ１を収容した状態の商品であり、包装材５１によって密封された包装状態となっている。なお、図５には、複数個のおむつ１を備えたパッケージ５０を示したが、これに限られない。例えば、１つの包装材に対して１つの吸収性物品が収容されたパッケージであってもよい。
【００５６】
＝＝＝塗工部について＝＝＝
塗工部は、おむつ１全域のうちの任意の場所に設けられる。本実施形態では、左右方向における両側のファスニングテープ部４０の非肌側面で、バックシート５やサイドシート６と重なっていない部分に塗工部Ｒ（図２及び図９の斜線部）を設けている。塗工部Ｒは、予め複数の圧搾部４０Ｅが形成されたテープ基材４１の略全域に、面状に塗布されている。塗工部Ｒの塗布パターンは、これに限られない。例えば、面状、線状、スパイラル状、Ｚ状、線状、ドット状等に塗布してもよい。また、ファスニングテープ部４０のテープ基材４１の不織布繊維４５にマイクロカプセルＭＣが絡みやすくなるように、テープ基材４１が親水性を有することが好ましい。
【００５７】
図４に示す包装材５１から取り出したおむつ１の塗工部Ｒには、マイクロカプセルＭＣが破損した破損カプセルＤＣと、マイクロカプセルＭＣが破損していない非破損カプセルＮＣが設けられている。つまり、包装材５１に収容された状態のおむつ１は、破損カプセルＤＣと非破損カプセルＮＣを有している。
【００５８】
破損カプセルＤＣとは、皮膜の少なくとも一部が破損しているマイクロカプセルＭＣである。破損とは、皮膜が傷、凹み、変形、割れの少なくとも１つを有している状態をいう。破損カプセルＤＣは、その破損部分から内包した虫忌避香料がマイクロカプセルＭＣの外部に流出したり、虫忌避香料が露出した状態である。
【００５９】
図６〜図８は、塗工部において、破損カプセルＤＣと非破損カプセルＮＣとが混在する領域を撮影した電子顕微鏡写真であり、拡大倍率５００倍の写真である。図６〜図８に示す写真において、棒状の物体がテープ基材４１の不織布繊維４５であり、不織布繊維４５の周囲にマイクロカプセルＭＣが設けられている。非破損カプセルＮＣは、球形状であり、その内部に虫忌避香料を備えている。一方、破損カプセルは、様々な形状となっており、潰れていたり、内側が視認可能な状態であったりする。
【００６０】
本実施形態の虫忌避香料は、揮発性が高い香料であるため、おむつ１が破損カプセルＤＣを備えることで、密封された包装状態において、包装材５１の内側に虫忌避香料を充満させやすくなる。この包装材５１を開封すると、まず、着用者や使用者は、破損カプセルＤＣが内包していた虫忌避香料の香りを認識することができる。これによって、着用者や使用者は、おむつ１の着用前において、おむつ１が虫忌避香料を備えていることを認識することができる。また、包装状態の破損カプセルから流出した虫忌避香料の効果によって、店頭や自宅等での保管時に、包装材５１の内側に虫が混入してしまう恐れを軽減させることができる。
【００６１】
また、包装材５１から取り出したおむつ１が破損カプセルＤＣを備えることで、着用者や使用者は、包装材５１からおむつ１を取り出しり、おむつ１を展開させるなどの動作を行う際に、破損カプセルＤＣから放出された虫忌避香料の香りを認識することができる。これによって、着用者や使用者は、おむつ１の着用前において、おむつ１が虫忌避香料を備えていることを認識することができる。
【００６２】
さらに、おむつ１は、破損カプセルＤＣだけでなく、非破損カプセルＮＣを有するため、着用状態において、何等かの衝撃や接触を加えて非破損カプセルＮＣを破損させることができる。非破損カプセルＮＣに物理的な刺激を加えて、破損カプセルＤＣとすることで、新たに虫忌避香料を外部に流出させたり、露出させたりすることができる。これによって、着用前だけでなく、着用状態においても、虫忌避香料の存在を認識することができる。また、おむつ１の着用前だけでなく、おむつ１を着用している間においても、虫忌避香料の防虫効果を発揮させやすくなる。
【００６３】
ちなみに、テープ基材４１は、複数の圧搾部４０Ｅを備えているが、予め圧搾部４０Ｅが形成されたテープ基材４１に塗工部Ｒを形成するため、テープ基材４１への圧搾部４０Ｅの形成を理由としてマイクロカプセルが破損することはない。
【００６４】
図９は、図２中の部分Ｘの拡大図である。図９において、テープ基材４１に設けた圧搾部４０Ｅは省略して示している。通常、ファスニングテープ部は、着用の際に、着用者又は使用者がファスニングテープ部４０に手で掴まれる部分である。そのため、ファスニングテープ部４０に塗工部Ｒを設けることで、着用者又は使用者によって掴まれる物理的刺激、例えば、ファスニングテープ部４０を擦ったりすることによって、塗工部ＲのマイクロカプセルＭＣのうちの非破損カプセルＮＣを、より確実に破損カプセルＤＣの状態にすることができるため、着用中に虫忌避香料の効果を発揮させやすくなる。
【００６５】
この塗工部Ｒは、単位面積当たりの非破損カプセルＮＣの数より、単位面積当たりの破損カプセルＤＣの数が多い加工跡部を有している。加工跡部とは、塗工部Ｒの形成後に、圧搾加工、折り加工、切断加工、レーザー加工等の圧力や衝撃を加える加工を行った跡部である。加工跡部は、加工による圧力や衝撃によって、非破損カプセルＮＣを破損カプセルＤＣにしている部分である。この加工跡部を形成する加工は、製造過程において行われることが好ましい。製造過程で行われることで、包装状態のおむつ１の加工跡部に破損カプセルＤＣが設けられた状態となる。これによって、着用者や使用者は、おむつ１の着用前において、おむつ１が虫忌避香料を備えていることを認識することができる。なお、図９及び後述の図１０において、加工跡部（Ｍ１〜Ｍ２、Ｐ１〜Ｐ５）をドッド状のハッチングで示している。
【００６６】
おむつ１の単位面積当たりの破損カプセルＤＣの数と単位面積当たりの非破損カプセルＮＣの数の比較は、該当領域を単位面積だけ切り抜いたサンプル片を複数作成し、各サンプル片中の、破損カプセルＮＣの数をそれぞれ電子顕微鏡で見て比較することで行うことができる。
【００６７】
また、おむつ１には、ファスニングテープ部４０の先端部Ｍ１に、破損カプセルＤＣが設けられている。ファスニングテープ部４０の先端部Ｍ１は、テープ基材４１をその形状に切断する際の切断箇所に隣接する部分である。そのため、先端部Ｍ１は、加工跡部Ｍ１でもある。加工跡部Ｍ１は、切断工程における衝撃で、破損カプセルＤＣを形成しやすくなる。このように、ファスニングテープ部４０の先端部Ｍ１を加工跡部Ｍ１とすることで、別途破損カプセルＤＣを形成するための工程を設ける必要がないため、より容易に、より確実に包装状態において、破損カプセルＤＣが設けられたおむつ１とすることができる。これによって、包装状態のおむつ１は、破損カプセルＤＣを有する状態となり、着用者や使用者は、おむつ１の着用前において、おむつ１が虫忌避香料を備えていることを認識することができる。
【００６８】
さらに、図３Ａに示すように、包装状態において、おむつ１は、ファスニングテープ部４０の折り畳まれた状態を維持するための仮留め圧搾部Ｆを有しており、この仮留め圧搾部Ｆが加工跡部Ｍ２である。加工跡部Ｍ２は、塗工部Ｒの塗工後に仮留め圧搾部Ｆを形成するため、その圧力によって、破損カプセルＤＣが形成されやすくなる部分である。これによって、包装状態のおむつ１は、破損カプセルＤＣを有する状態となり、着用者や使用者は、おむつ１の着用前において、おむつ１が虫忌避香料を備えていることを認識することができる。
【００６９】
なお、包装材５１からおむつ１を取り出した状態において、塗工部Ｒは、単位面積当たりの破損カプセルＤＣの数より、単位面積あたりの非破損カプセルＮＣの数が多い非加工跡部Ｎを有している。このとき、塗工部Ｅにおいて、加工跡部の面積より非加工跡部Ｎの方が広いことが好ましい。具体的には、おむつ１の塗工部Ｒの加工跡部は、加工跡部Ｍ１、Ｍ２（仮留め圧搾部Ｆ）であり、非加工跡部Ｎは、ファスニングテープ部４０のうち、加工跡部Ｍ１、Ｍ２（仮留め圧搾部Ｆ）を除いた領域である。図９からわかるように、おむつ１の加工部Ｒの加工跡部の面積より非加工跡部Ｎの方が広い。このように、非破損カプセルＮＣの領域をより広く設けることで、着用者や使用者が、虫忌避香料の効果に応じて、破損させるカプセルを調整することができるため、着用状態に応じた虫忌避香料の効果を得ることができる。
【００７０】
＝＝＝その他の実施形態＝＝＝
上述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００７１】
上述の実施形態においては、塗工部Ｒをファスニングテープ部の非肌側面に設けたがこれに限られない。着用状態等に応じて、おむつ１の全域のうちの任意の部分に塗工部を設けることができる。なお、おむつ１のように、虫忌避香料を用いる場合には、外部からの虫を防ぐ目的として、おむつ１の非肌側面に設けることが好ましい。
【００７２】
また、上述の実施形態においては、ファスニングテープ部４０のうち加工跡部Ｍ１、Ｍ２について説明したが、加工跡部は上記に限られない。図１０は、加工跡部の一例について説明する図である。塗工部を加工跡部Ｐ１〜Ｐ５の少なくとも一部と重なる部分に設けた場合に、加工跡部Ｐ１〜Ｐ５に、破損カプセルＤＣが形成される。
【００７３】
加工跡部Ｐ１は、おむつ１の外端部であり、バックシート５及びサイドシート６を図１０等の形状に切断する際の切断箇所に隣接する部分である。加工跡部Ｐ１は、切断工程における衝撃で、破損カプセルを形成されやすくなる。
【００７４】
加工跡部Ｐ２及び加工跡部Ｐ３は、それぞれ左右折り線ＳＬ及び上下折り線ＣＬである。左右折り線ＳＬ及び上下折り線ＣＬは、それぞれおむつ１のうちの該当する部分が折り曲げられるため、その折り曲げによって、左右折り線ＳＬ及び上下折り線ＣＬと重なる部分は、おむつ１の各部材の繊維が押し潰されやすく、マイクロカプセルが破損しやすい。そのため、左右折り線ＳＬ及び上下折り線ＣＬと重なる部分である加工跡部Ｐ２及び加工跡部Ｐ３には、折り畳み加工による圧力によって、破損カプセルＤＣが形成されやすい。
【００７５】
加工跡部Ｐ４は、ファスニングテープ部４０を図１０等の形状に切断する際の切断箇所に隣接する部分である。加工跡部Ｐ４は、切断工程における衝撃で、破損カプセルＤＣを形成しやすくなる。
【００７６】
加工跡部Ｐ５は、テープ折り線ＴＬである。おむつ１は、包装材５１から取り出した状態において、ファスニングテープ部４０がテープ折り線（折り線部）ＴＬにおいて折り畳まれている。テープ折り線ＴＬは、テープ基材４１が折り曲げられるため、その折り曲げによって、テープ折り線ＴＬと重なる部分は、テープ基材４１の繊維が押し潰されやすく、マイクロカプセルが破損しやすい。そのため、少なくとも加工跡部Ｍ１には、折り畳み加工による圧力によって、破損カプセルＤＣが形成されやすい。
【００７７】
加工跡部Ｐ１〜Ｐ５は、それぞれおむつ１の製造過程における工程であることから、製造工程を増やすことなく破損カプセルＤＣをより確実に形成することができる。これによって、包装状態において、破損カプセルＤＣを有する状態となり、着用者や使用者は、おむつ１の着用前において、おむつ１が虫忌避香料を備えていることを認識することができる。
【００７８】
上述の実施形態においては、加工跡部に破損カプセルＤＣが設けられている形態について説明したが、これに限られない。必ずしも加工跡部ではなく、加工跡部とは別の部位に破損カプセルを備えるおむつであってもよい。
【００７９】
上述の実施形態においては、ファスニングテープ部４０を、バックシート５やサイドシート６と異なる部材として設けたが、これに限られない。例えば、バックシート５やサイドシート６を用いてファスニングテープ部４０を構成するものであってもよい。
【００８０】
上述の実施形態においては、マイクロカプセルに薬草系の芳香の香りを有する虫忌避香料を内包させたが、これに限られない。マイクロカプセルに、それぞれ香りを有する温感成分を備えた温感剤、冷感成分を備えた冷感剤、芳香成分を備えた香料、消臭成分を備えた消臭剤、抗菌機能を備えた抗菌剤、スキンケア成分を備えたスキンケア剤等の周知の機能性成分を備えた物質を内包させるものであってもよい。
【符号の説明】
【００８１】
１  おむつ（展開型使い捨ておむつ、テープ型使い捨ておむつ、使い捨ておむつ）、１Ａ  腹側部、１Ｂ  背側部、２  吸収体、３  トップシート、４  防漏シート、５  バックシート、６  サイドシート、７  脚回り弾性部材、２０  サイドフラップ、３０  サイドフラップ、４０  ファスニングテープ部、４１  テープ基材、４０Ｅ  圧搾部、４２  フック材、４３  固定部、５０  パッケージ、５１  包装材、６１  弾性部材、Ｆ  仮留め圧搾部、ＭＣ  マイクロカプセル、Ｍ１  加工跡部（先端部）、Ｍ２  加工跡部、Ｐ１  加工跡部、Ｐ２  加工跡部、Ｐ３  加工跡部、Ｐ４  加工跡部、Ｐ５  加工跡部、ＤＣ  破損カプセル、ＮＣ  非破損カプセル、Ｒ  塗工部、Ｓ  側端部
【要約】
香りを有する物質を内包した複数のマイクロカプセルが塗工された塗工部（Ｒ）を有する吸収性物品（１）であって、包装材から取り出した状態において、複数のマイクロカプセルは、マイクロカプセルが破損した破損カプセルと、マイクロカプセルが破損していない非破損カプセルを有していることを特徴とする吸収性物品（１）である。【図１】
0006649535.tif 000002
【図２】
0006649535.tif 000003
【図３】
0006649535.tif 000004
【図４】
0006649535.tif 000005
【図５】
0006649535.tif 000006
【図６】
0006649535.tif 000007
【図７】
0006649535.tif 000008
【図８】
0006649535.tif 000009
【図９】
0006649535.tif 000010
【図１０】
0006649535.tif 000011